(57)【要約】      （修正有）【課題】容易にハードディスクドライブをサーバーのキャビネット内に固定するためのハードディスクドライブ固定装置を提供する。【解決手段】ハードディスク固定装置は、キャビネット２０の底板２１と、ハードディスクドライブ１０を収容するケーシングとを備え、底板には、固定柱２２及び係合部２４が突設され、ケーシングは、底壁３２及び前壁３４０を備え、底壁には、底板の固定柱に対応する装着孔が設けられ、装着孔は、貫通孔３２６と、貫通孔に連通し且つ貫通孔よりも直径が小さい固定孔と、を備え、前壁の外側には、固定部品が装着されており、固定柱を貫通孔に貫通させながらケーシングを底板に載置させた後、固定柱を貫通孔内から固定孔内に進入させるように、ケーシングを底板の係合部に向けて移動させ、固定柱が固定孔に係合されると、ケーシングの前壁に装着された固定部品が底板の係合部に係合される。【選択図】図６
2014002829.tif 000002
【特許請求の範囲】
【請求項１】
キャビネットの底板と、ハードディスクドライブを収容するケーシングと、を備えてなるハードディスクドライブ固定装置であって、
前記底板には、固定柱及び係合部が突設され、前記ケーシングは、底壁及び前壁を備え、前記底壁には、前記底板の前記固定柱に対応する装着孔が設けられ、前記装着孔は、貫通孔と、前記貫通孔に連通し且つ前記貫通孔よりも直径が小さい固定孔と、を備え、前記前壁の外側には、固定部品が装着されており、
前記固定柱を前記貫通孔に貫通させながら前記ケーシングを前記底板に載置させた後、前記固定柱を前記貫通孔内から前記固定孔内に進入させるように、前記ケーシングを前記底板の前記係合部に向けて移動させ、前記固定柱が前記固定孔に係合されると、前記ケーシングの前記前壁に装着された前記固定部品が前記底板の前記係合部に係合されることを特徴とするハードディスク固定装置。
【請求項２】
前記前壁には、固定片が設置され、前記固定部品は、頭部と、スプリングと、ボルトと、収容部と、装着部と、を備え、前記ボルトは、円柱棒と、前記円柱棒の一端に連接される第一ネジ山部と、前記円柱棒の他端に連接される挿入部と、を備え、前記第一ネジ山部は、前記収容部と前記スプリングとを順に挿通した後、前記頭部に係合され、前記スプリングは前記収容部内に収容され、前記スプリングの一端は前記収容部の頭部の上部の内側に当接され、前記スプリングの他端は前記挿入部に当接され、前記装着部は、前記固定片の下側に当接する当止片と、前記当止片から延伸し、前記固定片を貫通し、且つ前記収容部内に係合される第二ネジ山部と、を備え、前記収容部は前記固定片の上方で固定され、前記固定柱が前記固定孔に係合されると、前記ボルトの前記挿入部は、前記装着部から延出して前記係合部に係合し、且つ、前記頭部を操作して、前記挿入部を前記固定片から離脱させて前記装着部内に収容させることができることを特徴とする請求項１に記載のハードディスクドライブ固定装置。
【請求項３】
前記収容部の底面にはネジ穴が設けられ、前記収容部の上面には前記ネジ穴と連通する貫通孔が設けられ、前記貫通孔の直径は前記ネジ穴の直径より小さいため、前記収容部の上部の内側には、前記貫通孔の周りに当止面が形成され、前記スプリングの前記一端は、前記当止面に当接されることを特徴とする請求項２に記載のハードディスクドライブ固定装置。
【請求項４】
前記係合部の前記固定柱に面する側面は、前記係合部の頂面から前記固定柱に向かって下向きに傾斜する斜面であることを特徴とする請求項１から３の何れか一項に記載のハードディスクドライブ固定装置。
【請求項５】
前記固定柱は、前記底板に連接する連接部と、前記連接部の上部に設置される当止部と、備え、前記連接部が前記貫通孔内から前記固定孔内に進入されると、前記当止部は、前記ケーシングの前記底壁における、前記底板に面する側の反対側に当接されることを特徴とする請求項１から４の何れか一項に記載のハードディスクドライブ固定装置。
【請求項６】
前記ケーシングの前記底壁には凹部が設けられ、前記底壁の両側の側部には支持部がそれぞれ突設され、前記ハードディスクドライブは、前記凹部の底面と間隔をあけて前記支持部に支持されることを特徴とする請求項１から５の何れか一項に記載のハードディスクドライブ固定装置。
【請求項７】
前記凹部の側壁には、通風孔が設けられること特徴とする請求項６に記載のハードディスクドライブ固定装置。
【発明の詳細な説明】
【技術分野】
【０００１】
本発明は、ハードディスクドライブ固定装置に関するものである。
【背景技術】
【０００２】
従来の技術において、ハードディスクドライブは、ねじによってサーバーのキャビネット内に固定されているため、ハードディスクドライブの着脱作業は、工具（例えば、ドライバー等）を使用して行なわなければならない。従って、ハードディスクドライブの着脱作業が煩雑であるという問題がある。
【発明の概要】
【発明が解決しようとする課題】
【０００３】
本発明の目的は、前記問題を解決し、ハードディスクドライブをサーバーのキャビネット内に取り付けたりキャビネット内から取り外したりするのを容易に行うことができるハードディスクドライブ固定装置を提供することである。
【課題を解決するための手段】
【０００４】
上記目的を達成するために、本発明に係るハードディスクドライブ固定装置は、キャビネットの底板と、ハードディスクドライブを収容するケーシングと、を備え、前記底板には、固定柱及び係合部が突設され、前記ケーシングは、底壁及び前壁を備え、前記底壁には、前記底板の前記固定柱に対応する装着孔が設けられ、前記装着孔は、貫通孔と、前記貫通孔に連通し且つ前記貫通孔よりも直径が小さい固定孔と、を備え、前記前壁の外側には、固定部品が装着されており、前記固定柱を前記貫通孔に貫通させながら前記ケーシングを前記底板に載置させた後、前記固定柱を前記貫通孔内から前記固定孔内に進入させるように、前記ケーシングを前記底板の前記係合部に向けて移動させ、前記固定柱が前記固定孔に係合されると、前記ケーシングの前記前壁に装着された前記固定部品が前記底板の前記係合部に係合される。
【発明の効果】
【０００５】
本発明に係るハードディスクドライブ固定装置は、底板に固定柱と係合部とが設置され、ハードディスクドライブを収容するケーシングには、固定部品と装着孔とが設けられている。従って、ハードディスクドライブを固定する際、固定部品を係合部に係合させるように、ケーシングを底板に沿って移動させれば良いので、ハードディスクドライブをサーバーのキャビネット内に容易に固定することができる。
【図面の簡単な説明】
【０００６】
【図１】本発明の実施形態に係るハードディスクドライブ固定装置の分解斜視図である。
【図２】図１に示すハードディスクドライブ固定装置の固定部品のＩＩ−ＩＩ線に沿った断面図である。
【図３】図１に示すハードディスクドライブ固定装置を組み立てた後、ハードディスクドライブを固定する際の状態を示す図である。
【図４】図３に示すハードディスクドライブ固定装置のＩＶ−ＩＶ線に沿った断面図である。
【図５】図３に示すハードディスクドライブ固定装置にハードディスクドライブが固定された状態を示す図である。
【図６】図３に示すハードディスクドライブ固定装置のＶＩ−ＶＩ線に沿った断面図である。
【発明を実施するための形態】
【０００７】
図１及び図２に示したように、本発明の実施形態に係るハードディスクドライブ固定装置は、ハードディスクドライブ１０を固定するのに用いられる。ハードディスクドライブ固定装置は、キャビネット２０の底板２１と、ハードディスク１０を収容するケーシング３０と、固定部品４０と、を備える。
【０００８】
底板２１上には、３つの固定柱２２と、これらの固定柱２２の前方に位置し、且つ橋状を呈する係合部２４と、が設けられている。係合部２４の上部には、係合孔２４０が設けられている。係合部２４の固定柱２２に面する側面は、前記係合部２４の頂面から固定柱２２側に向かって下向きに傾斜する斜面２４２である。各固定柱２２は、底板２１に連接する連接部２２０と、連接部２２０の上端に位置する当止部２２２と、を備える（図４を参照）。当止部２２２の直径は、連接部２２０の直径よりも大きい。
【０００９】
ケーシング３０は、四角形の底壁３２と、底壁３２の前端から垂直に立設された前壁３４０と、を備える。底壁３２の中央部には凹部３２５が設けられている。凹部３２５の側壁３００には、通風孔３０２が設けられている。底壁３２の両側の側部には、支持部３２１がそれぞれ突設され、各支持部３２１には取り付け穴３２２が設けられている。凹部３２５の底面には、底板２１の固定柱２２に対応して３つの装着孔３２４が設けられている。各装着孔３２４は、貫通孔３２６と該貫通孔３２６よりも直径が小さい固定孔３２８とから構成されており、これら貫通孔３２６と固定孔３２８とは互いに連通されている。貫通孔３２６は、固定孔３２８に対して相対的に前壁３４０に近い位置にあり、固定孔３２８は、貫通孔３２６に対して相対的に前壁３４０から遠い位置にある。前壁３４０の外面の一端には、外側へ垂直に延伸する固定片３４２が突設されており、この固定片３４２には、係合孔３４４が設けられている。
【００１０】
固定部品４０は、作動部４２と、スプリング４２２と、収容部４４と、装着部４６と、座金４８と、を備える。作動部４２は、頭部４２０と、ボルト４２４と、を備える。頭部４２０には、頭部４２０の上面と底面とを貫通するネジ穴４２１が設けられている。ボルト４２４は、円柱棒４２５と、円柱棒４２５の一端に設けられたネジ山部４２６と、円柱棒４２５の他端に設けられた挿入部４２８と、を備える。挿入部４２８の直径は、円柱棒４２５の直径及びスプリング４２２の直径より大きい。収容部４４には、収容部４４の底面から上面側に向かって延在するネジ穴４４０が設けられている。また、収容部４４の上面には、ネジ穴４４０と連通する貫通孔４４２が設けられている。貫通孔４４２の直径は、ネジ穴４４０の直径より小さいため、収容部４４の上部の内側には、貫通孔４４２の周囲に当止面４４６が形成されている。装着部４６は、当止片４６０と、該当止片４６０の上面から延伸する延伸部４６２と、延伸部４６２の上面から延伸するネジ山部４６４と、を備える。装着部４６には、さらに、当止片４６０、延伸部４６２、及びネジ山部４６４を貫通する貫通溝４６６が設けられている。ネジ山部４２６、４６４はそれぞれ、外周面にネジ山が設けられた雄ねじ部である。
【００１１】
図３から図６を参照すると、固定部品４０をケーシング３０に装着する際、ボルト４２４のネジ山部４２６を、下から上へ、スプリング４２２、収容部４４のネジ穴４４０、収容部４４の貫通孔４４２に順に挿通させた後、頭部４２０のネジ穴４２１に螺合させる。これによって、ボルト４２４は、頭部４２０に装着されて、頭部４２０と共に、収容部４４に対して相対的に上下方向に沿って移動可能となる。スプリング４２２の両端は、当止面４４６及び挿入部４２８の上面にそれぞれ当接される。挿入部４２８は、収容部４４のネジ穴４４０から延出される。
【００１２】
装着部４６のネジ山部４６４を、下から上へ、固定片３４２の係合孔３４４、座金４８に順に挿通させた後、収容部４４のネジ穴４４０に螺合させる。これにより、装着部４６の当止片４６０は、固定片３４２の底面に当接され、延伸部４６２は、固定片３４２の貫通孔３４４内に係合される。収容部４４は、固定片３４２の上面に固定される。挿入部４２８は貫通溝４６６から延出する。
【００１３】
複数のねじ（図示しない）を支持部３２１の取り付け穴３２２にそれぞれ貫通させると共にハードディスクドライブ１０の底部の複数のネジ孔にそれぞれ螺合させることによって、ハードディスクドライブ１０がケーシング３０内に固定される。この時、ハードディスクドライブ１０は、凹部３２５の底面と間隔をあけて支持部３２１に固定される。
【００１４】
固定柱２２を貫通孔３２６にそれぞれ貫通させながら、ケーシング３０を上から下へと底板２１に載せる。次いで、固定柱２２の連接部２２０が貫通孔３２６内からそれに連通する固定孔３２８内へ進入するように、ケーシング３０を係合部２４の方向へ移動させる。この時、挿入部４２８が係合部２４の斜面２４２上を摺動することによって、スプリング４２２が弾性変形しながら挿入部４２８は徐々に貫通溝４６６内に収容される。固定柱２２の連接部２２０が、対応する固定孔３２８内に完全に係合された時、当止部２２２は、ケーシング３０の凹部３２５の底面に当接されると共に、挿入部４２８が係合部２４の係合孔２４０の位置まで到達し、その結果、挿入部４２８は、スプリング４２２の弾性復帰によって貫通溝４６６から押し出されて係合部２４の係合孔２４０に係合される。以上により、ケーシング３０が底板２１に固定される。
【００１５】
一方、ケーシング３０を取り外す際には、作動部４２の頭部４２０を底板２１から離れる方向へと引いて、挿入部４２８を貫通溝４６６内に収容させる。次いで、固定柱２２の連接部２２０が固定孔３２８内からそれに連通する貫通孔３２６内に進入するように、ケーシング３０を係合部２４から離れる方向へ移動させれば、ケーシング３０を底板２１から取り外すことができる。
【００１６】
ハードディスクドライブ１０は、凹部３２５の底面と間隔をあけて支持部３２１に支持されるため、ハードディスクドライブ１０が、固定柱２２の当止部２２２に当接されて、当止部２２２により摩損されることを防ぐことができる。また、通風孔３０２が複数設けられることで、ハードディスクドライブ１０の放熱を向上させることができる。
【００１７】
以上、本発明を実施例に基づいて具体的に説明したが、本発明は、上述の実施例に限定されるものではなく、その要旨を逸脱しない範囲において、種種の変更が可能であることは勿論であって、本発明の技術的範囲は、添付の特許請求の範囲から決まる。
【符号の説明】
【００１８】
１０  ハードディスクドライブ
２０  キャビネット
２１  底板
２２  固定柱
２４  係合部
２４０、３４４  係合孔
２４２  斜面
２２０  連接部
２２２  当止部
３０  ケーシング
３２  底壁
３４０  前壁
３２１  支持部
３２２  取り付け穴
３２４  装着孔
３２６、４４２  貫通孔
３００  側壁
３２５  凹部
３０２  通風孔
３２８  固定孔
３４２  固定片
４０  固定部品
４２  作動部
４４  収容部
４６  装着部
４８  座金
４２０  頭部
４２２  スプリング
４２４  ボルト
４２５  円柱棒
４２６、４６４  ネジ山部
４２８  挿入部
４２１、４４０  ネジ穴
４４６  当止面
４６０  当止片
４６２  延伸部
４６６  貫通溝
【図１】
2014002829.tif 000003
【図２】
2014002829.tif 000004
【図３】
2014002829.tif 000005
【図４】
2014002829.tif 000006
【図５】
2014002829.tif 000007
【図６】
2014002829.tif 000008